(57)【要約】      （修正有）【課題】撮像装置本体を大型化することなく、コストアップすることなく、レリーズボタンの操作感が良好な２段スイッチ構造及び、それを備えた、撮像装置を提供する。【解決手段】押圧部３０２ａを備えた操作部材と、前記操作部材の下方に配置し、第１の接片３１３と、第２の接片３１４と、保持部材凸部３１２ａを具備し、前記第２の接片３１４と、保持部材凸部３１２ａが当接している状態のスイッチ構造を有した撮像装置において、前記押圧部３０２ａの第１の移動で、第１の接片３１３が移動し第２の接片３１４と当接することで、第１の接片３１３と第２の接片３１４と保持部材凸部３１２ａが接続し、押圧部材３０２ａの第２の移動で、第１の接片３１３と第２の接片３１４が当接したまま、第２の接片３１４が保持部材凸部３１２ａと離間するスイッチ構造を有する。【選択図】図６
2020030256.tif 000002
【特許請求の範囲】
【請求項１】
押圧部３０２ａを備えた操作部材３０２と、前記操作部３０２の下方に配置し、第１信号３０９ｂと接続した第１の接片３１３と、第２信号３０９ｃと接続した第２の接片３１４と、第１信号３０９ｂと第２信号３０９ｃを具備し、第３信号を備えた保持部材３１２に保持されているフレキシブル基板３０９と、前記第２の接片３１４と、前記第３信号を備えた保持部材３１２が当接し、第２の接片３１４が第３信号と接続している状態のスイッチ構造を有した撮像装置において、
前記押圧部３０２ａの第１の移動で、前記第１の接片３１３が移動し、第２の接片３１４と当接することで、第１の接片３１３と第２の接片３１４と保持部材３１２が第３の信号と接続し、押圧部材３０２ａの第２の移動で、第１の接片３１３と第２の接片３１４が当接したまま、第２の接片３１３が前記保持部材３１２と離間することで、第１の接片３１３と第２の接片３１４がそれぞれ第１信号、第２信号と接続した状態になるスイッチ構造を有することを特徴とする撮像装置。
【請求項２】
前記第１の接片３１３と前記第２の接片３１４はそれぞれ、板金形状で形成し、前記第１の接片３１３及び、前記第２の接片３１４はともにＬ字形状を有し、前記押圧部３０２ａを備えた操作部材３０２の押圧方向において、前記第１の接片３１３と前記第２の接片３１４のＬ字形状のそれぞれ長手腕部３１３、３１４が、前記操作部材３０２の押圧方向に垂直で、並列に配置していることを特徴とする請求項１に記載の撮像装置。
【請求項３】
前記保持部材３１２は金属で形成されていることを特徴とする請求項１に記載の撮像装置。
【請求項４】
前記押圧部３０２ａを備えた操作部材３０２の中心を回動可能な第２の操作部材３０３を具備していることを特徴とする請求項１乃至請求項３の何れか一項に記載の撮像装置。
【請求項５】
前記フレキシブル基板３０９には前記第２の操作部材３０３の操作信号３０８を有していることを特徴とする請求項１乃至請求項４の何れか一項に記載の撮像装置。
【発明の詳細な説明】
【技術分野】
【０００１】
本発明は、オートフォーカス機能などを備えた撮像装置のレリーズボタンに関する。
【背景技術】
【０００２】
現在、被写体までの距離を測距してピント位置を検出し露光時に合焦動作を行うオートフォーカス機能、また被写体輝度を測光して露出を決定し、露光時にこの露出で露光を行う自動露出調整機能が搭載されている撮像装置が広く普及している。これらの制御を行うために、撮像装置にはレリーズボタンを搭載している。
【０００３】
レリーズボタンは２段スイッチで構成し、一段目の動作で測距などのオートフォーカスを行い、２段目の動作で露光を開始させるようにしてある。前述の２段スイッチの構造は、主に第１接片、第２接片、第３接片のばね性を有した３枚の板金で構成している。
【０００４】
第１接片は信号Ｘを接続しており、第２接片は信号Ｙ、第３接片は信号Ｚでそれぞれ接続している。また、レリーズボタンは第１接片の上方に上下方向に移動可能に配置し、前記第１接片の付勢力によって、上方へ付勢された状態である。前記第１接片の下方に第２接片を配置し、第２接片の下方に第３接片を配置している。第２接片、第３接片もばね性を有し、上方へ付勢力を有しているが、第２接片、第３接片の先端部が、レリーズボタンを保持部材する保持部材に当接し、第２接片が上方の第１接片と、第３接片が上方の第２接片と、それぞれ接触しないように隙間を有した構成となっている。
【０００５】
前記レリーズボタンの外観部は撮像装置本体のカバーから上方へ突出している。撮影者が撮影を行う場合には、前記レリーズボタンの外観部を撮影者が下方へ押し込む。これにより、レリーズボタンと当接している前記第１接片が撓み、前記第２接片と接触する。第２接片と第１接片が当接することで、第１接片に接続していた信号Ｘが、第２接片に接続している信号Ｙがグランド信号とすると、信号Ｘはグランド信号に変化する。
【０００６】
第１接片に接続されている信号Ｘがグランド信号に変化することでスイッチとなり、１段目の動作が開始し、オートフォーカスや測光が行われる。さらに前記レリーズボタンを押しこむと、次は第１接片共々第２接片が撓んで、第３接片と接触する。ここで、第１接片、第２接片、第３接片がすべて、接触し、各信号がすべてグランド信号に変化することになる。ここで、２段目の動作である露光が開始されることになる。レリーズボタンから指先を離すと、押しこまれ、撓んでいたそれぞれの第１接片、第２接片、第３接片が元の位置まで復帰し、第１接片の付勢力を受けて、レリーズボタンが、押し上げられて、元の位置に復帰する（特許文献１）。
【０００７】
前述のレリーズボタンの２段スイッチの構成は撮像装置の中でも、比較的サイズが大きめの撮像装置で主に採用されている。レリーズボタンを２段目まで押圧し、第２接片と第３接片が当接した後、レリーズボタンの押し停止位置までさらに押し込めることが可能な構造である。つまり、適度なオーバーストロークを確保することが出来るため、前述２段スイッチ構造のレリーズボタンは操作感、押し感が良好な構造となっている。
【先行技術文献】
【特許文献】
【０００８】
【特許文献１】特開２００１−２８１７４８号公報
【発明の概要】
【発明が解決しようとする課題】
【０００９】
しかしながら、上述の特許文献に開示された従来技術について、前述の２段スイッチ構造を実現するために、板金を３枚使用しており、部品点数が多く、コストアップになるという課題が挙げられる。さらに、板金を３枚使用しているため、レリーズボタンの下方にはよりスペースが必要となり、撮像装置全体が大型化してしまうという問題点も挙げられる。
【００１０】
そこで、本発明の目的は、上記課題を解決するために発明されたものであり、撮像装置を大型化することなく、またコストアップすることなく、レリーズボタンの操作感が良好な２段スイッチ構造及び、それを備えた、撮像装置を提供することにある。
【課題を解決するための手段】
【００１１】
上記の目的を達成するために、本発明に係る撮像装置は、
押圧部３０２ａを備えた操作部材３０２と、前記操作部３０２の下方に配置し、第１信号３０９ｂと接続した第１の接片３１３と、第２信号３０９ｃと接続した第２の接片３１４と、第１信号３０９ｂと第２信号３０９ｃを具備し、第３信号を備えた保持部材３１２に保持されているフレキシブル基板３０９と、前記第２の接片３１４と、前記第３信号を備えた保持部材３１２が当接し、第２の接片３１４が第３信号と接続している状態のスイッチ構造を有した撮像装置において、
前記押圧部３０２ａの第１の移動で、前記第１の接片３１３が移動し、第２の接片３１４と当接することで、第１の接片３１３と第２の接片３１４と保持部材３１２が第３の信号と接続し、押圧部材３０２ａの第２の移動で、第１の接片３１３と第２の接片３１４が当接したまま、第２の接片３１３が前記保持部材３１２と離間することで、第１の接片３１３と第２の接片３１４がそれぞれ第１信号、第２信号と接続した状態になるスイッチ構造を有することを特徴としている。
【発明の効果】
【００１２】
本発明によれば、従来、各接片となる板金形状の部品を３点使用していた２段スイッチ構造が、接片となる板金形状部品を２部品で済むことになり、コストダウンにつながる。さらにカメラ本体を大型化することなく、操作感が良好な２段スイッチ構造及び、それを備えた、撮像装置の提供を実現できる。
【図面の簡単な説明】
【００１３】
【図１】本発明の撮像装置（正面斜視図）
【図２】（ａ）本発明のレリーズボタン周辺の上方向分解斜視図、（ｂ）本発明のレリーズボタン周辺の下方向分解斜視図
【図３】（ａ）本発明のレリーズボタン周辺のみの上方向分解斜視図、（ｂ）本発明のレリーズボタン周辺のみの下方向分解斜視図
【図４】第１の接片と第２の接片の下方向からみた図
【図５】（ａ）本発明の撮像装置（上面図）、（ｂ）Ａ−Ａ断面図
【図６】（ａ）本実施例１のレリーズボタン部詳細図、（ｂ）Ｂ部詳細図
【図７】（ａ）本発明のレリーズボタン部通常状態図、（ｂ）一段目のスイッチ状態図
【図８】（ａ）二段目のスイッチ状態図、（ｂ）オーバーストローク時の状態図
【図９】図５のオーバーストローク時のＡ−Ａ断面図
【発明を実施するための形態】
【００１４】
以下に、本発明の好ましい実施の形態を、添付の図面に基づいて詳細に説明する。
【実施例１】
【００１５】
以下、本発明の実施例について説明する。
【００１６】
図１は本発明の実施形態である撮像装置の外観斜視図である。図１中の９００は撮像装置であり、３００が撮影準備、及び撮影開始を指示するための操作部である。図２は本発明の実施形態である撮像装置の前記撮影開始を指示するための操作部の一部であるレリーズボタン周りの分解斜視図である。図２（ａ）は上方からみた分解斜視図、図２（ｂ）は下方向からみた分解斜視図である。
【００１７】
図２（ａ）及び、図２（ｂ）中で、１００はトップカバーである。３０１はレリーズボタンの化粧部品である。３０２が押圧部を有する操作部材であるレリーズボタンである。化粧部品３０１はレリーズボタン３０２に接着固定される。３０３は画角の調整を行うズームレバーであり、３０４は電源ボタンである。前記トップカバー１００を、前記ズームレバー３０３と狭持し、ズームレバー３０３を保持する部材が３０５のレバー保持部材である。３０９はフレキシブル基板である。
【００１８】
前記フレキシブル基板３０９には、前記レバー保持部材３０５に保持されている金属ブラシ部品３０６と接触する信号線３０８、及び、前記電源ボタン３０４が押圧する電気スイッチ部品３１７を有している。前記ズームレバー３０３は円形状であり、円中心で回動操作可能に構成されている。ズームレバー３０３、レバー保持部材３０５、金属ブラシ部品３０６は一体で回動可能に構成されている。そのため、前記ズームレバー３０３を回動操作すると、前記金属ブラシ部品３０６が前記信号線３０８上を接触し、導通することで、撮像装置の画角調整のための信号を送っている。つまり、ズームレバー３０３はレリーズボタン３０２の周囲に配置された、第２の操作部材である。前記フレキシブル基板３０９は金属保持部材３１２に両面テープ３１１を介して保持されている。さらに、金属板材で構成した第１の接片３１３、第２の接片３１４は、非導通テープ３１５を固定ねじ３１６との間に挟み、前記金属保持部材３１２に固定している。ここで、前記金属保持部材３１２は、不図示のグランド信号と接続している。
【００１９】
図３（ａ）および、図３（ｂ）は本発明のレリーズボタン３０２周辺及び、フレキシブル基板３０９、金属保持部材３１２等、主要部品のみを表示した斜視図である。
【００２０】
図３（ａ）及び、図３（ｂ）において、第１の接片３１３がレリーズボタン３０２の押圧部３０２ａと当接する箇所が３１３ａである。また、第２の接片３１４の中で、第１の接片３１３の凸部３１３ｂと当接する箇所が３１４ａであり、金属保持部材３１２の凸部３１２ａと当接する箇所が３１４ｂである。また、フレキシブル基板３０９は、レリーズボタン３０２側から、下方向に折り曲げ金属保持部材３１２の下側面を沿い、さらに１８０°折り曲げ、第１の接片３１３、第２の接片３１４と接触する形状となっている。
【００２１】
図４は前述の図３（ｂ）を底面から図示している。図４中のとおり、第１の接片３１３と第２の接片３１４は固定ねじ３１６で固定されている。ここで、第１の接片３１３の長手腕部３１３ｂと第２の接片３１４の長手腕部３１４ｃは下方向からの投影では重なっておらず、略並列に配置している。本構成とすることで、第１の接片３１３と第２の接片３１４はレリーズボタン３０２の下方向のスペースを少なくすることが可能となる。
【００２２】
図５（ａ）は本発明の撮像装置の上面図であり、Ａ−Ａ断面が図５（ｂ）である。
【００２３】
ズームレバー３０３とレバー保持部材３０５とでトップカバー１００を、クリアランスを有したまま狭持し、回動可能な構成としている。レリーズボタン３０２の押圧部３０２ａは第１の接片３１３と当接している。ここで、第１の接片３１３は図中の上方向に付勢力を有しており、レリーズボタン３０２は第１の接片３１３の付勢力により、常に上方向に荷重がかかっている状態である。ただし、レリーズボタン３０２の爪部３０２ｂがレバー保持部材３０５の受け部３０５ａと係止しているため、図５（ｂ）の状態を保持している。図５（ｂ）の状態が通常の状態であり、レリーズボタン３０２が押下されていない状態である。
【００２４】
図６（ａ）は本発明のレリーズボタン３０２及び、フレキシブル基板３０９等、主要部品のみを表示した正面図である。
【００２５】
図６（ａ）の状態は、前述の図５（ｂ）と同じ状態である。レリーズボタン３０２の押圧部３０２ａは第１の接片３１３と当接している。第１の接片３１３は図中下方向に突出した凸部３１３ｂを有している。また、金属保持部材３１２も下方向に突出した凸部３１２ａを有しおり、第２の接片３１４の凸部３１４ｂと当接している。この状態において、第１の接片３１３と第２の接片３１４は接触していない。
【００２６】
また、第１の接片３１３、第２の接片３１４はともに図６（ａ）中の上方向に付勢力を有しており、第１の接片３１３は前述のとおり、レリーズボタン３０２の押圧部３１２ａと当接し、レリーズボタン３０２を上方向へ付勢している。第２の接片３１４は凸部３１４ｂと金属保持部材３１２の凸部ａに付勢しながら当接している。ここで、図６（ａ）の位置状態においては、第１の接片３１３の付勢力と第２の接片３１４の付勢力では第２の接片３１４の付勢力のほうがより強く設定している。
【００２７】
次に図６（ａ）中のＢ部詳細図である図６（ｂ）について説明する。
【００２８】
Ｂ部は第１の接片３１３、フレキシブル基板３０９、第２の接片３１４、非導通テープ３１５が金属保持部材３１２に固定ねじ３１６によって固定している箇所である。フレキシブル基板３０９は第１の接片３１３と接触している第１信号パターン３０９ｂ及び、第２の接片３１４と接触している第２信号パターン３０９ｃを有している。
【００２９】
また、前記金属保持部材３１２は前述のとおり、グランド信号と接続している。前記固定ネジ３１６は前記金属保持部材３１２に直接ねじ固定のため、固定ねじ３１６と第２の接片３１４が接触すると、第２の接片が第２信号ではなく、Ｂ部でグランド信号に接続されてしまう。その状態を回避するため、非導通テープ３１５を固定ねじ３１６と第２の接片３１４の間に狭持する構成とし、第２の接片３１４と固定ネジ３１６が接触しない構成としている。ここでＢ部においては、第２の接片３１４はグランド信号に接続していないが、図６（ａ）に図示のとおり、前記金属保持部材３１２の凸部３１２ａと第２の接片の凸部３１４ｂは接触しているため、第２の接片３１４は図６（ａ）の状態ではグランド信号と接続している状態である。
【００３０】
次に図７（ａ）から図８（ｂ）において、本発明の実際の前記レリーズボタン３０２を上方向から押圧操作し、一段目のスイッチ状態、さらに押圧操作して二段目のスイッチ状態の変移について説明する。
【００３１】
図７（ａ）は図６（ａ）と同じ状態であり、レリーズボタン３０２が上方向から押圧されていない状態である。この状態では前述のとおり、第１の接片３１３と、第２の接片３１４は接触していないため、第１の接片３１３は第１信号を有し、第２の接片３１４は金属保持部材３１２と接触しているため、グランド信号を有している状態である。
【００３２】
図７（ｂ）は、図７（ａ）からレリーズボタン３０２を上方向から押圧し、第１の接片３１３が凸部３１３ｂで第２の接片３１４に接触した状態を図示している。これが、一段目の状態である。図７（ｂ）では、第２の接片３１４は凸部３１４ｂで金属保持部材３１２の凸部３１２ａと接触したままである。この状態は、第１の接片３１３が第２の接片３１４と接触しているため、第１の接片が第１信号からグランド信号に変化していることになる。図７（ｂ）は、第１の接片３１３、第２の接片３１４がともにグランド信号を有している状態であり、これが、一段目のスイッチが入った状態である。一段目のスイッチが入った状態は、実際の撮像装置の動作としては、測距などのオートフォーカスを行うことになる。
【００３３】
ここで、第１の接片３１３と第２の接片３１４の付勢力には明確に差を設けている。第１の接片３１３が前記押圧され、下方向に第２の接片３１４と接触するまでの移動距離で発生する付勢力よりも、第２の接片３１４が第１の接片３１３と接触して同時に動き出す付勢力のほうが大きく設定している。そのため、図７（ｂ）状態から、レリーズボタン３０２をさらに強く押圧しなければ、次の状態に移動することができないため、図７（ｂ）で一時状態を保持することが可能となる。
【００３４】
図８（ａ）はレリーズボタン３０２を上方向からさらに押圧した状態である。図７（ｂ）から図８（ａ）はレリーズボタン３０２をさらに押圧し、第１の接片３１３の凸部３１３ａが第２の接片３１４と接触したまま移動し、第２の接片３１４の凸部３１４ｂが金属保持部材３１２ａから離間した状態である。図７（ｂ）の状態では、第１の接片３１３と第２の接片３１４は、グランド信号を有している金属保持部材３１２と接触しているため、どちらもグランド信号を有している。
【００３５】
しかし、図８（ａ）の状態では第２の接片３１４の凸部３１４ｂが、金属保持部材３１２から離間することで、第２の接片３１４はグランド信号ではなく、前記フレキシブル基板３０９上の第２信号パターンと接触するだけに変更になる。そのため、第２の接片３１４は第２信号を有することになる。
【００３６】
さらに、第１の接片３１３は、第２の接片３１４と接触していたため、図７（ｂ）ではグランド信号を有していたが、図８（ａ）では第２の接片３１４が金属保持部材３１２と離間することで、第１の接片３１３も前記フレキシブル基板３０９上の第１信号パターンと接触するだけに変更になり、第１の接片３１３は第１信号を有することになる。つまり、図８（ａ）の状態では、図７（ｂ）から、第１の接片３１３、第２の接片３１４がそれぞれ、グランド信号以外の信号を有することになり、これが、二段目のスイッチが入った状態である。二段目のスイッチが入った状態とは、実際の撮像装置の動作としては、露光が開始され、撮影を行う。
【００３７】
図８（ｂ）はレリーズボタン３０２の押圧移動後での停止した状態を図示している。本発明の構成は、図８（ａ）からさらにレリーズボタン３０２を押圧することが可能な構成となっており、程度な移動距離を有している。
【００３８】
図９は図５（ａ）のＡ−Ａ断面図であり、レリーズボタン３０２の押圧移動後の停止した状態である。レリーズボタン３０２の側面のツバ部３０２ｃが、レバー保持部材の受け部３０５ｂと当接することで、レリーズボタン３０２の下方向の移動距離の規制となっている。つまり、図８（ｂ）及び、図９に図示している以上は下方向に移動できない位置である。図８（ａ）の状態である二段目のスイッチが入った状態から、図８（ｂ）のとおり、さらにレリーズボタン３０２を押圧、移動することが可能であり、適度なオーバーストロークがあるため、操作感、押し感が良好な構造となっている。この状態から、レリーズボタン３０２の押圧を止めると、第１の接片３１３、第２の接片３１４の、押圧方向とは逆の上方向の付勢力により、図７（ａ）の状態までそれぞれ復帰することになる。
【００３９】
以上、本発明の構成によれば、従来は各接片となる板金形状の部品を３点使用していた２段スイッチ構造が、接片となる板金形状部品を２部品とすることが可能となり、レリーズボタンの下方のスペースも少なくて済む。さらにコストダウンにつながる。つまり、カメラ本体を大型化することなく、操作感が良好な２段スイッチ構造及び、それを備えた、撮像装置を提供することができる。
【００４０】
以上、本発明の好ましい実施形態について説明したが、本発明はこれらの実施形態に限定されず、その要旨の範囲内で種々の変形及び変更が可能である。
【符号の説明】
【００４１】
３０２  レリーズボタン、３０２ａ  レリーズボタン押圧部、
３０２ｂ  レリーズボタン爪部、３０２ｃ  レリーズボタンつば部、
３０３  ズームレバー、３０４  電源ボタン、３０５  レバー保持部材、
３０５ａ  レバー保持部材受け部１、３０５ｂ  レバー保持部材受け部２、
３０６  金属ブラシ、３０８  金属パターン、３０９  フレキシブル基板、
３０９ａ  第１信号、３０９ｂ  第２信号、３１１  固定両面テープ、
３１２  金属保持部材、３１２ａ  金属保持部材の凸部、３１３  第１の接片、
３１３ａ  第１の接片の押圧部と当接する箇所、３１３ｂ  第１の接片の凸部、
３１３ｃ  第１の接片の腕部、３１４  第２の接片、
３１４ａ  第２の接片の第１の接片と当接する箇所、
３１４ｂ  第２の接片の凸部、３１４ｃ  第２の接片の腕部、
３１５  非導通テープ、３１６  固定ねじ
【図１】
2020030256.tif 000003
【図２】
2020030256.tif 000004
【図３】
2020030256.tif 000005
【図４】
2020030256.tif 000006
【図５】
2020030256.tif 000007
【図６】
2020030256.tif 000008
【図７】
2020030256.tif 000009
【図８】
2020030256.tif 000010
【図９】
2020030256.tif 000011